(57)【要約】【課題】ディジタルカメラで、微少エリアの画像を拡大しようとするとき、１．微少エリアの拡大画像の画面に対する解像度が劣化する。２．微少エリアの全体画像における位置関係の認識が簡単でない。【解決手段】カメラの撮像素子の特定部に高密度の撮像部を設けることで、微少エリアの拡大画像の画面に対する解像度を損なうことなく拡大画像を得ることができる。拡大しようとする微少エリアを高密度撮像部内に納めることにより、画像処理によって操作性を高めることが容易である。【選択図】図１
2010178324.tif 000002
【特許請求の範囲】
【請求項１】
個体撮像素子の全体画像を得るエリアを全エリアとし、
全エリア内の、任意の一部のエリアを部分エリアとし、
部分エリアの解像度を他のエリアの解像度よりも高密度としたことを第１の特徴とする個体撮像素子。
【請求項２】
上記請求項１の第１の特徴を有する撮像素子を使用し、
｛部分エリアの解像度｝を｛全エリアの解像度｝に協調させることで、一様な解像度の全エリアの｛モニタ画像または画像データ｝を得る機能を有することを第２の特徴とし、
部分エリアの高密度の解像度で部分エリアの｛モニタ画像または画像データ｝を得る機能を有することを第３の特徴とし、
｛全エリアのモニタ画像｝と｛部分エリアのモニタ画像｝を選択操作する機能を有することを第４の特徴とし、
｛全エリアのモニタ画像｝の一部のエリアに｛部分エリアのモニタ画像｝を埋め込む操作する機能を有することを第５の特徴とし、
上記｛第２と第３｝と｛第４または第５｝の特徴を有するカメラ
【請求項３】
上記請求項１の第１の特徴を有する撮像素子を用いたカメラにおいて、
｛部分エリアの解像度｝を｛全エリアの解像度｝に協調させることで得られる、一様な解像度の｛全エリアの画像データ｝と、
部分エリアの｛高密度の解像度の画像データ｝と、
の｛｛二つの画像データ｝を｛一回のシャッター操作で得る｝｝機能を有することを第６の特徴とするカメラ
【請求項３】
上記請求項１の第１の特徴を有する撮像素子を用いたカメラにおいて、
｛被写体の全体画像の範囲｝の｛微少部分の画像｝を得ようとするとき、｛その微少部分の画像の解像度｝が｛｛レンズの倍率｝と｛請求項１の特徴１に定義するところの｛部分エリアが持つ解像度｝｝｝との相乗効果によって｛目的とする解像度｝を得られるようにしたことを第７の特徴とし、
｛上記、微少部分の位置｝が｛被写体の全体画像のどの位置にあるか｝の認識を容易にするための、｛｛｛全体画像と微少部分｝の画像の切り替え｝または｛全体画像の中への｛微少部分の位置マーキング画像｝の埋め込み｝または｛全体画像の中への｛微少部分の画像｝の埋め込み｝｝の機能を設けたことを第８の特徴とし、
上記｛第７と第８｝の特徴を有するカメラ。
【発明の詳細な説明】
【用語の定義】
【０００１】請求項を含む全文を通じ、｛｝内部の内容は｛｝の外の内容に優先して意味を持つものとする。
【技術分野】
【０００２】個体撮像素子
撮像素子のスキャニング方法
｛撮像素子の個々のエレメント｝の特性補正方法
ディジタルカメラ
画像ノイズリダクション処理
画像拡大信号処理
画像合成信号処理
【背景技術】
【０００３】高解像度撮像素子
高解像度撮像素子の配線技術
レンズ
カメラぶれ補正
【課題を解決するための手段】
【０００４】｛一つの画像｝のなかの｛特定の微少部分｝を拡大して撮影したいとき、｛対画面サイズの画像分解能｝をできるだけ上げたいようなケースは少なからず存在する。
また、｛特定の微少部分｝が視野内のどの場所にあるかを認識するとき、｛微少部分があまりにも小さく、また、周辺画像には｛位置を認識するような特徴｝がない｝ような場合｛一度認識した特定位置｝を再度認識することが難しいようなケースは少なからず存在する。
これらの課題を解決するために、撮像素子の解像度を全画面にわたり上げるのではなく、一部のエリアだけ高解像度とすることで、パフォーマンス対コスト比率を上げることができる。
さらに、レンズとの組み合わせによって、機能性がより高く、より広い用途のカメラを作ることができる。
【０００５】［図１］は本案発明の説明図である。１は撮像素子の全範囲である。２は高解像度の部分エリアである。２の部分は、他の部分よりも高密度に撮像セルが分布している。
【０００６】［図２］は図１の撮像素子が捕らえている画面を示す。１は撮像素子の全画面を示す。２は撮像素子の高解像度の部分エリアを示す。３は高解像度の部分エリア内にある画像を示す。簡単のために中心部には文字Ａ、文字Ａの周りには、中心部から順に、｛左部に切れ目のある輪｝、｛上部に切れ目のある輪｝、｛下部に切れ目のある輪｝、そして｛右部に切れ目のある輪｝、のパターンがある。
【０００７】［図３］は撮像素子の解像度が全体画面で一様な場合、単純に中心部の文字Ａのある部分を拡大した画像である。１は画面サイズ、３は拡大表示された文字Ａである。撮像素子の解像度にもよるが、一般的に｛単純な画面拡大｝は画面全体に対する解像度を低下させる。
【０００８】［図４］は撮像素子の解像度が本案発明の場合の、解像度の高いエリアを拡大した画像である。１は全画面、３は被写体の拡大画像である。撮像素子の解像度にもよるが、部分エリア内で解像度が高い分、拡大画面の対全画面比解像度は高くなる。
【０００９】［図５］は撮像素子の解像度が本案発明の場合の、解像度の高いエリア内の文字Ａの部分を拡大した画像である。１は画面サイズ、３は被写体の拡大画像である。
撮像素子の解像度にもよるが、部分エリア内で解像度が高い分、拡大画面の対全画面比解像度は高くなる。
【００１０】［図６］は撮像素子の解像度が本案発明の場合の、解像度の高いエリア内の文字Ａの部分を拡大し、元の全画面に埋め込んだ画像である。１は画面全体、２は高解像度である部分アリアを示す。３は被写体のパターン、３Ａは被写体のパターンの中心にある文字Ａの拡大画面である。元の画像の解像度の高い部分エリア内にマーカーを入れることで、拡大しようとする微少エリアの特定が容易になり、高解像度の拡大画像で微少エリアの様子をモニターまたは撮影することができる。
【００１１】以上の説明中、撮像素子の｛解像度が異なるエリア｝を｛どのようにスキャニングして画像を出力するか｝は本案発明の本質とするところではない。本案発明の本質は｛撮像素子の部分エリアを高解像度とする｝ことと、｛高解像度の部分エリアが生まれたことによって、部分エリア内の拡大画面の｛モニタリングや画像生成｝が簡単な操作で可能となる｝ところにある。
【００１２】｛部分エリアの解像度を上げること｝で対応できる限界は｛撮像素子の製造技術の限界｝である。撮像素子の解像度に対応する個々のエレメントの｛密度や配線技術や読み出し特性｝によって解像度の限界が決定される。この限界を補うために、レンズの構造との組み合わせが有効である。例えば、図４に示す画面までレンズの特性で拡大し、さらに部分エリアを拡大することによって｛画面拡大｝と｛拡大画面の解像度の確保｝と｛操作性の確保｝を両立させることができる。実際、レンズだけで図２のモニター画像から図５の画像を得ようとすると、場所の特定に時間を要する。高解像度の部分エリアを設けることで、図４と図５の画像を簡単に得ることができ、場所の特定が極めて容易になる。
文字Ａの大きさが０．１ｍｍ程度になると、拡大レンズだけの場合、周囲の画像パターンの特徴を目視で認識できないことから、場所の特定の再現が極めて難しくなる。
【００１３】全エリアの解像度を上げることでも対応できるが、撮像素子の生産の歩留まりを下げる方向にあり、コストが上がることから、低価格のディジタルカメラやカメラが付属しているモバイルフォーンなどは本案発明の手法が有効である。
【発明の効果】
【００１４】カメラのモニター画面を見ながらの、元の画像と部分エリアの拡大画像との対比の操作性が極めて良好な機能を生む。
微少エリアの｛｛場所の特定｝や｛再現性｝｝が良くなる。
拡大画像の解像度が良くなり、画像の表現範囲が広がる。
【発明を実施するための最良の形態】
【００１５】部分エリアに高解像度の撮像機能を有し、異なる解像度の画像スキャニングを制御できる機能を持つ撮像素子。
拡大画像を得ようとするとき、｛全画像｝と｛微少エリア｝の見比べや、｛全画像｝への｛微少エリアの拡大画像｝の埋め込みを制御できる画像処理機能。
高解像度の画像拡大機能を持つディジタルカメラ
高解像度の画像拡大機能を持つモバイルフォーン
【実施例】
【００１６】個体撮像素子
ディジタルカメラ
モバイルフォーン
【産業上の利用可能性】
【００１７】実施例に同じ
【図面の簡単な説明】
【００１８】
【図１】本案発明の一実施例を示す。
【図２】全画像を示す。
【図３】従来の方法による微少エリアの拡大図を示す。
【図４】一実施例の部分エリアの拡大図を示す。
【図５】一実施例の微少エリアの拡大図を示す。
【図６】｛元の全画像｝に｛微少エリアの拡大画像｝を埋め込んだ画像を示す。
【図１】
2010178324.tif 000003
【図２】
2010178324.tif 000004
【図３】
2010178324.tif 000005
【図４】
2010178324.tif 000006
【図５】
2010178324.tif 000007
【図６】
2010178324.tif 000008